(57)【要約】【課題】ポール受け部をポール部に固定するためのボルトの緩みの程度を容易に視認することができ、メンテナンスの要否を簡単に判断できるポール灯を提供する。【解決手段】地上から立設される筒状のポール部２と、このポール部２の上端部に結合される筒状のポール受け部３と、このポール受け部３の上部に取り付けられる照明器具４とを備え、前記ポール受け部３の周壁には取付ねじ穴が形成され、この取付ねじ穴に螺合されたボルトが前記ポール部の周壁またはポール部２の端部に一体に設けられたアダプタ５に当接することにより前記ポール部２に前記ポール受け部３が固定されているポール灯であって、前記ボルト８のねじ部８aは軸方向に沿って複数の色に色分けされている。【選択図】図２
2010080132.tif 000002
【特許請求の範囲】
【請求項１】
地上から立設される筒状のポール部と、このポール部の上端部に結合される筒状のポール受け部と、このポール受け部の上部に取り付けられる照明器具とを備え、前記ポール受け部の周壁には取付ねじ穴が形成され、この取付ねじ穴に螺合されたボルトが前記ポール部の周壁またはポール部の端部に一体に設けられたアダプタに当接することにより前記ポール部に前記ポール受け部が固定されているポール灯であって、前記ボルトのねじ部は軸方向に沿って複数の色に色分けされていることを特徴とするポール灯。
【請求項２】
前記ボルトのねじ部の色分けは、前記ボルトが前記ポール部の周壁またはポール部の端部に設けられたアダプタに当接した状態において、前記ポール受け部の周壁の外面を境として少なくともその内側が複数の色に着色されていることを特徴とする請求項１記載のポール灯。
【発明の詳細な説明】
【技術分野】
【０００１】
本発明は、ポール灯に関する。
【背景技術】
【０００２】
従来より、街路照明、公園照明、道路照明等を行うためにポール灯が使用されている。このポール灯は、高位置から地上を照明することを目的とするため、全体が長尺のものとなる一方、運搬や設置等を行う際の利便性を考慮して、各部分を分解した状態で現場に搬送し、現場で各部を組み立てるようにしている。
【０００３】
そのため、従来のポール灯は、地上から立設される筒状のポール部と、このポール部の上端部に結合される筒状のポール受け部と、このポール受け部の上部に取り付けられる照明器具とを備えており、現場でポール部と照明器具が取り付けられたポール受け部とをボルトで結合するようにしている。
【０００４】
すなわち、従来のポール灯は、ポール受け部の周壁の周方向に沿う複数箇所に取付ねじ穴が形成され、この取付ねじ穴にボルトを螺合し、このボルトをポール部の周壁またはポール部の端部に一体に設けられたアダプタに当接することによりポール部にポール受け部を固定して組み立てるようにした構成のものが提供されている（例えば、下記の特許文献１参照）。
【特許文献１】特開２００３−１５１３２０号公報
【発明の開示】
【発明が解決しようとする課題】
【０００５】
ところで、ポール灯を現場に設置した当初は、ポール部にポール受け部がボルトで十分に締結されていても、例えば照明器具やポール受け部などが風に煽られて振動すると、次第にボルトが緩んでくることがある。
【０００６】
しかし、ポール灯を組み立てて一旦現場に設置した場合、ポール部にポール受け部をボルトで固定した箇所は地面から高所に位置しているため、ボルトが緩んだ場合にもその程度を容易に視認し難く、メンテナンスに支障を生じる。
【０００７】
本発明は、上記の課題を解決するためになされたもので、ポール部にポール受け部を固定するためのボルトの緩みの程度を容易に視認することができ、メンテナンスの要否を簡単に判断することができるポール灯を提供することを目的とする。
【課題を解決するための手段】
【０００８】
上記の目的を達成するために、本発明にあっては、地上から立設される筒状のポール部と、このポール部の上端部に結合される筒状のポール受け部と、このポール受け部の上部に取り付けられる照明器具とを備え、前記ポール受け部の周壁には取付ねじ穴が形成され、この取付ねじ穴に螺合されたボルトが前記ポール部の周壁またはポール部の端部に一体に設けられたアダプタに当接することにより前記ポール部に前記ポール受け部が固定されているポール灯において、前記ボルトのねじ部は軸方向に沿って複数の色に色分けされていることを特徴としている。
【０００９】
この場合、前記ボルトのねじ部の色分けは、前記ボルトが前記ポール部の周壁またはポール部の端部に設けられたアダプタに当接した状態において、前記ポール受け部の周壁の外面を境として少なくともその内側が複数の色に着色されているようにすることができる。
【発明の効果】
【００１０】
本発明のポール灯によれば、設置現場においてポール受け部をポール部にボルトで固定した箇所が地面から高所に位置していても、ボルトの緩みの程度を容易に視認することができるため、メンテナンスの要否を簡単に判断することができる。したがって、ボルトの緩みが放置されてしまうといった不具合を確実に防止することができる。
【００１１】
特に、ポール受け部の周壁の外面を境として少なくともその内側が複数の色に着色されている場合には、ポール受け部の周壁の外面からねじ部が露出した際の色の違いによって、どの程度までボルトが緩んだかを判断できるため、メンテナンスの要否をさらに容易に判定することができて都合が良い。
【発明を実施するための最良の形態】
【００１２】
以下、本発明の実施の形態について、図面を参照して詳しく説明する。図１は本発明の実施の形態におけるポール灯の全体を示す正面図、図２は同ポール灯のポール部にポール受け部をボルトで固定した箇所を一部切り欠いて示す正面図である。
【００１３】
この実施の形態のポール灯は、地上１から立設される長尺で円筒状のポール部２と、このポール部２の上端部に結合される円筒状のポール受け部３と、このポール受け部３の上部に設けられた照明器具４とを備える。そして、図示していないが、ポール部２の下方からポール受け部３を通って配線用のケーブルが挿通されて照明器具４に接続されている。なお、照明器具４の光源としては、例えば高輝度ランプ、蛍光灯、白熱灯などが適用される。
【００１４】
ポール部２には、その上端部分に固定具としてのアダプタ５が一体に突設されている。このアダプタ５は円筒状のもので、その外径はポール部２やポール受け部３の内径よりも小径になるように形成されている。
【００１５】
また、ポール受け部３は、その外径と内径とがポール部２の外径と内径の寸法と略同じになるように形成されており、このポール受け部３の下端部の周壁には複数の取付ねじ穴３ａが形成され、各取付ねじ穴３ａにボルト８が螺合されている。そして、各ボルト８がアダプタ５の周壁の外面に当接することによりポール部２にポール受け部３が一体的に固定されている。
【００１６】
この場合、ボルト８のねじ部８ａは軸方向に沿って複数の色に色分けされている。すなわち、図３に示すように、ボルト８のねじ部８ａの先端がアダプタ５に当接した状態において、ねじ部８ａは、ポール受け部３の周壁の外面を境としてその内側と外側とが異なる色となるように色分けされている。例えば、ポール受け部３の周壁の外面よりも外側（図中、符号Ａで示す部分）が素地の色とすると、内側（図中、符号Ｂで示す部分）は赤色に着色されている。
【００１７】
このように、ボルト８のねじ部８ａを色分けしておくと、図３（ａ）に示すように、ボルト８が確実に締結されているときには、ポール受け部３の周壁の外面よりも内側（符号Ｂの部分）の着色（この例では赤色）を目視することができないが、図３（ｂ）に示すように、ボルト８が緩むと内側（符号Ｂの部分）の着色が外部に露出するようになる。
【００１８】
したがって、ポール灯を設置した現場において、ポール受け部３をポール部２にボルト８で固定した箇所が地面から高所に位置していても、ボルト８の緩みの程度を容易に視認することができ、このため、メンテナンスの要否を簡単に判断することができる。したがって、ボルト８の緩みが放置されてしまうといった不具合を確実に防止することができる。
【００１９】
なお、上記の実施の形態では、ボルト８の先端がアダプタ５に当接した状態において、ポール受け部３の周壁の外面を境としてその内側と外側とでねじ部８ａを色分けしている場合について説明したが、これに限らず、ボルト８のねじ部８ａのポール受け部３の周壁の外面よりも内側の部分（符号Ｂで示す部分）をさらに複数の色に着色するようにしてもよい。例えば、ポール受け部３側を黄色、アダプタ５側を赤色というように２色に着色してもよい。
【００２０】
このようにすれば、ポール受け部３の周壁の外面からねじ部８ａが露出した際の色の違い（例えば、露出している色が黄色か赤色かの違い）によって、どの程度までボルト８が緩んだかを判断できるため、メンテナンスの要否をさらに容易に判定することができて都合が良い。
【００２１】
また、上記の実施の形態では、ポール部２の端部に設けられたアダプタ５にボルト８を当接させてポール部２にポール受け部３を固定する構成の場合について説明したが、本発明はこのような構成のものに限らず、例えばポール部２の端部にポール受け部３を外嵌し、ポール受け部３に設けた取付ねじ穴３ａにボルト８を螺合してポール受け部３をポール部２に固定する構成のものについても適用することが可能である。
【図面の簡単な説明】
【００２２】
【図１】本発明の実施の形態におけるポール灯の全体を示す正面図である。
【図２】同ポール灯のポール部にポール受け部をボルトで固定した箇所を一部切り欠いて示す正面図である。
【図３】同ポール灯のポール部にポール受け部をボルトで固定した場合におけるボルトの緩みの程度を判断する際の説明に供する断面図である。
【符号の説明】
【００２３】
２    ポール部
３    ポール受け部
３ａ  取付ねじ穴
４    照明器具
５    アダプタ
８    ボルト
８ａ  ねじ部
【図１】
2010080132.tif 000003
【図２】
2010080132.tif 000004
【図３】
2010080132.tif 000005